(57)【特許請求の範囲】
【請求項１】
治療に用いるエネルギーを発生する治療器本体と、該治療器本体に接続されるとともに、治療対象となる患部にエネルギーを加えるプローブとからなる治療器において、
前記治療器本体は、
前記治療器本体の電源ＯＮにより計時を開始する第１のタイマと、
前記プローブに直流電圧を印加して当該プローブに直流電流が流れたか否かを判定する電流検出手段と、
前記電流検出手段が前記プローブに直流電流が流れたと判定したときに計時を開始する第２のタイマと、
制御手段と報知手段を有し、
前記第２のタイマは、前記プローブの交換時に積算値をリセットし、
前記制御手段は、前記第１のタイマの積算値と前記第２のタイマの積算値を前記報知手段に表示させるように制御することを特徴とするプローブを有する治療器。
【請求項２】
前記制御手段は、前記第１のタイマの積算値が第１の設定値Ｔｉに達した時に第１の報知形態で前記治療器本体のメインテナンス時期を報知し、前記第２のタイマの積算値が第２の設定値Ｔｊ（Ｔｊ＜Ｔｉ）に達した時に第２の報知形態で前記プローブの交換時期を報知するように前記報知手段を駆動制御することを特徴とする請求項１に記載のプローブを有する治療器。
【請求項３】
前記制御手段は、治療器本体に前記プローブが接続されていない場合に、未接続状態であることを報知するように前記報知手段を駆動制御することを特徴とする請求項１または請求項２に記載のプローブを有する治療器。
【発明の詳細な説明】
【技術分野】
【０００１】
本発明は、エネルギー（電流、低周波信号、超音波周波数信号、高周波信号）を発生する治療器本体と、該治療器本体に接続され、治療対象物（生体、生体の患部）に前記エネルギーを加えるプローブとからなるプローブを有する治療器に係り、特にプローブを有する治療器のメインテナンスに関する。
【背景技術】
【０００２】
治療器等のように生命や健康に直接、係わる機器にいては、定期的にメインテナンスが必要である。従来のこの種の機器、例えば、呼吸用気体供給システムにおける呼吸用気体供給装置の使用時間を積算し、この積算データを遠隔地に送信するシステムが提案されている（例えば、特許文献１参照）。
【特許文献１】特開平５−３０９１３５号公報
【発明の開示】
【発明が解決しようとする課題】
【０００３】
導子等のプローブを用いる治療器では、プローブの消耗が治療器本体の消耗より激しい。すなわち、導子等のプローブは、消耗品と同様に交換されることが考えられる。
また、プローブを有する治療器では、プローブの交換時期（使用時間）は、治療器本体のメインテナンスサイクルより短い。このため、上述した従来のこの種の機器では、単一の積算タイマを使用して、メインテナンス用のデータを取得していたので、プローブの交換時期や治療器本体のメインテナンス時期を使用者に的確に認識させるのが困難であるという問題が有った。
【０００４】
本発明は、このような事情に鑑みてなされたものであり、プローブの交換時期や、治療器本体のメインテナンス時期を的確に把握することができるプローブを有する治療器を提供することを目的とする。
【課題を解決するための手段】
【０００５】
上記目的を達成するために本発明のプローブを有する治療器は、治療に用いるエネルギーを発生する治療器本体と、該治療器本体に接続されるとともに、治療対象となる患部にエネルギーを加えるプローブとからなる治療器において、前記治療器本体は、前記治療器本体の電源ＯＮにより計時を開始する第１のタイマと、前記プローブに直流電圧を印加して当該プローブに直流電流が流れたか否かを判定する電流検出手段と、前記電流検出手段が前記プローブに直流電流が流れたと判定したときに計時を開始する第２のタイマと制御手段と報知手段を有し、前記第２のタイマは、前記プローブの交換時に積算値をリセットし、前記制御手段は、前記第１のタイマの積算値と前記第２のタイマの積算値を前記報知手段に表示させるように制御することを特徴とする。
【０００６】
上記構成からなる本発明のプローブを有する治療器では、治療器本体は、前記治療器本体の使用時間を積算する第１のタイマと、前記プローブの使用時間を積算するリセット可能な第２のタイマと、治療器の状態を報知する報知手段と、該報知手段を駆動制御する制御手段とを有している。
制御手段は、治療器本体のメインテナンス時期が分かるように前記第１のタイマの積算値を表示し、プローブの交換時期が分かるように前記第２のタイマの積算値を表示するように、前記報知手段を駆動制御する。
これにより、使用者は、プローブの交換時期や、治療器本体のメインテナンス時期を的確に把握することができる。
【０００７】
また、本発明のプローブを有する治療器は、前記制御手段は、前記第１のタイマの積算値が第１の設定値Ｔiに達した時に第１の報知形態で報知し、前記第２のタイマの積算値が第２の設定値Ｔj（Ｔj＜Ｔi）に達した時に第２の報知形態で報知するように前記報知手段を駆動制御することを特徴とする。
【０００８】
上記構成からなる本発明のプローブを有する治療器では、前記制御手段は、前記第１のタイマの積算値が第１の設定値Ｔiに達した時に第１の報知形態で報知し、前記第２のタイマの積算値が第２の設定値Ｔj（Ｔj＜Ｔi）に達した時に第２の報知形態で報知するように前記報知手段を駆動制御する。
したがって、プローブの交換時期、あるいは治療器本体のメインテナンス時期に応じた報知形態で報知されるため、使用者は、プローブの交換時期や、治療器本体のメインテナンス時期を的確に把握することができる。
【０００９】
また、本発明のプローブを有する治療器の前記制御手段は、治療器本体に前記プローブが接続されていない場合に、未接続状態であることを報知するように前記報知手段を駆動制御することを特徴とする。
【発明の効果】
【００１１】
以上説明したように、本発明のプローブを有する治療器によれば、治療器におけるプローブの交換時期、あるいは治療器本体のメインテナンス時期になると、使用者にその旨、報知（表示による報知を含む）されるので、使用者は、プローブの交換時期や、治療器本体のメインテナンス時期を的確に把握することができる。
【発明を実施するための最良の形態】
【００１２】
以下、本発明の実施形態を、図面を参照して説明する。本発明の実施形態では、プローブを有する治療器として電子治療器を例に採り、説明する。本発明の実施形態に係るプローブを有する治療器として、電子治療器の構成を図１、その外観構成を図２に、それぞれ示す。発明の実施形態に係る電子治療器１は、治療器本体１０と、治療器本体１０に接続され、治療器本体１０で発生した電気信号を生体に加えるプローブとしての導子２０とを有している。
【００１３】
治療器本体１０は、高周波の電気信号を発生する高周波信号発生手段１００と、インピーダンス整合手段１０１と、接続切換手段１０２と、導子接続状態検出手段１０３と、電流検出手段１０４と、制御手段１０５と、操作手段１０６と、報知手段１０７と、タイマＴ１と、タイマＴ２とを有している。
高周波信号発生手段１００は制御手段１０５の制御下に高周波信号を発生する。
高周波信号発生手段１００はインピーダンス整合手段１０１を介して接続切換手段１０２に接続されている。
【００１４】
インピーダンス整合手段１０１は、制御手段の制御下に高周波信号発生手段１００の出力インピーダンスと導子２０のインピーダンスとの整合をとる機能を有している。
接続切換手段１０２は、制御手段の制御下に導子２０をインピーダンス整合手段１０１、または電流検出手段１０４に接続する機能を有している。
【００１５】
接続切換手段１０２の接点ｂ，ｅは、インピーダンス整合手段１０１に接続されており、接点ｃ，ｆは電流検出手段１０４に接続されている。
また、接続切換手段１０２の接点ａ、ｄは、コネクタ端子２０２Ａ，２０２Ｂにそれぞれ、接続されている。
導子接続状態検出手段１０３は、導子２０のコネクタ２０２が治療器本体１０に接続されているか否かを検出し、その検出信号を制御手段１０５に出力する機能を有している。
【００１６】
電流検出手段１０４は、接続切換手段１０２を介して導子２０に電圧を印加し、導子に電流が流れるか否かを検出し、その検出信号を制御手段１０５に出力する機能を有している。
操作手段１０６は、治療器１の電源のＯＮ，ＯＦＦ操作、各種動作モードの選択等の操作を行うためのキーを有している。
【００１７】
タイマＴ１は、使用時間を積算するタイマであり、治療器本体１０の使用時間は、電子治療器１の電源がＯＮ状態にある時間であり、現在までの使用時間Ｔnは、積算することにより得る。タイマＴ１の使用時間Ｔnが設定値Ｔiに達したときに治療器本体１０のメインテナンス時期であると制御手段により判定される。
タイマＴ１は、本発明の第１のタイマに相当する。
【００１８】
タイマＴ２は、を積算するリセット可能なタイマであり、導子２０の使用時間は、導子２０が治療器本体１０に接続されて、導子２０に電流が流れている時間であり、現在までの使用時間ＴnはタイマＴ２により積算することによりうる。導子２０の交換時には、タイマＴ２は制御手段１０５により、リセットされる。本実施形態では、タイマＴ２により計時された導子２０の使用時間の積算値が設定値Ｔj（Ｔj＜Ｔi）になったとき、導子２０の交換時期であると制御手段により判定される。
タイマＴ２は、本発明の第２のタイマに相当する。
【００１９】
報知手段１０７は、表示部のみ、あるいは表示部及び音響発生手段の双方により構成されている。制御手段の制御下に、導子の未接続状態、断線状態等の報知、導子２０の交換時期の報知、あるいは治療器本体１０のメインテナンス時期の報知を行う機能を有している。報知手段１０７は、表示部による表示、あるいは音響発生手段により発生する音響により各種状態の報知を行う。
【００２０】
報知手段１０７は、制御手段１０５の制御下に、タイマＴ１の積算値が設定値Ｔiに達した時に治療器本体１０のメインテナンス時期を第１の報知形態で報知し、タイマＴ２の積算値が設定値Ｔj（Ｔj＜Ｔi）に達した時にプローブとしての導子２０の交換時期を第２の報知形態で報知する。ここで、報知手段が表示により報知する場合には、その報知内容を文字表示する（例えば、「導子の交換時機です」、「治療器本体のメインテナンス時期です」とのメッセージを表示する、等。）ことに、加えて例えば、発光ダイオードの点灯による表示であれば、第１の報知形態で「連続点灯」とし、第２の報知形態では、「点滅」するように、点灯させることが考えられる。
【００２１】
また、音響発生手段により報知する場合には、第１の報知形態と、第２の報知形態で、異なる音響で報知するか、または、報知内容自体を音声でメッセージを出力することが考えられる。これら第１の報知形態、第２の報知形態は、表示手段及び音響発生手段のいずれか一方、または双方により行うようにしてもよい。
制御手段１０５は、操作手段１０６の出力を取り込み、各部の動作を制御する。また、制御手段１０５は、タイマＴ１及びタイマｔ２の積算値を報知手段１０７に表示させるように制御する。
【００２２】
また、導子２０は、高周波信号から電磁波を発生させてこの電磁波を患部に照射する放射部２００と、放射部２００を治療器本体１０に接続するコネクタ２０２を有するコード部２０１とからなる。コネクタ２０２は、治療器本体１０に設けられたコネクタ（図示を省略）に接続されるコネクタ端子２０２Ａ，２０２Ｂを有している。
【００２３】
上記構成からなる本発明の実施形態に係る電子治療器の動作を図３及び図４のフローチャートを参照して説明する。図３に示すフローチャートは、電子治療器１により治療を開始する前に、その都度、実行される制御処理であり、図４は、電子治療器１の動作中に所定時間毎に、周期的に実行される制御処理である。
使用者により操作手段１０６を操作し、電源をＯＮ状態にすると、制御手段１０５は、治療器本体１０の使用時間を計時するタイマＴ１を起動する（ステップ３０）。
【００２４】
これと同時に導子接続状態検出手段１０３は、治療器本体１０に導子２０のコネクタ２０２が接続されているか否かを検出し、接続されていれば、導子２０が療器本体１０に接続されている状態を示す検出信号を制御手段１０５に出力する。治療器本体１０に導子２０のコネクタ２０２が接続されていない場合には、図示してないが、報知手段１０７において、未接続状態であることを表示する。
【００２５】
次いで、制御手段１０５は、接続切換手段１０２においける可動接点ａ，ｄを、固定接点ｂ，ｅ側から固定接点ｃ，ｆ側にそれぞれ、切り換えるように接続切換手段１０２を制御し、この結果、導子２０と電流検出手段１０４とが接続された状態となる（ステップ３１）。
電流検出手段１０４は、導子２０に直流電圧を印加し、導子２０に流れる電流の有無を検出し、その検出信号を制御手段１０５に出力する（ステップ３２）。
【００２６】
制御手段１０５は、電流検出手段１０４からの検出信号を取り込み、導子２０に流れる電流の有無を判定する（ステップ３３）。ステップ３３において、導子２０に流れる直流電流が無いと判定した場合には、報知手段１０７に導子２０が断線している旨、報知させる（ステップ３６）。
他方、ステップ３６で導子２０に流れる直流電流が有ると判定した場合には、正常な状態であるとし、ステップ３４に移行する。
【００２７】
ステップ３４では、制御手段１０５は、接続切換手段１０２においける可動接点ａ，ｄを、固定接点ｃ，ｆ側から固定接点ｂ，ｅ側にそれぞれ、切り換えるように接続切換手段１０２を制御し、この結果、導子２０とインピーダンス整合手段とが接続された状態となる。
次いで、制御手段は、導子２０の使用時間を計時するタイマＴ２を起動する（ステップ３５）。尚、タイマＴ１、Ｔ２は、操作手段１０６の操作により電子治療器１の電源がＯＦＦにされた場合には、計時は停止される。
【００２８】
図４は、タイマ割り込みにより制御手段１０５により実行される制御処理ルーチンである。図４において、制御手段１０５は、タイマＴ１、Ｔ２の出力を取り込み、タイマＴ１、Ｔ２により計時された現在までの使用時間（積算値）Ｔnが設定値Ｔjに達したか否かを判定する（ステップ４０）。ステップ４０の判定が否定された場合には、この処理をそのまま終了する。
【００２９】
一方、ステップ４０の判定が肯定された場合には、制御手段１０５は、導子の使用時間を計時するタイマＴ２をリセットし（ステップ４１）、次いで導子２０の交換時期である旨を、報知させるように報知手段１０７を制御する（ステップ４２）。
次いで、現在までの使用時間（積算値）Ｔnが設定値Ｔi（Ｔj＜Ｔi）に達したか、否かを判定する。（ステップ４３）。
【００３０】
ステップ４３の判定が否定された場合には、この処理をそのまま終了する。
他方、ステップ４３の判定が肯定された場合には、制御手段１０５は、治療器本体１０のメインテナンス時期になった旨、報知するように報知手段１０７を制御する（ステップ４４）。
【００３１】
ここで、ステップ４２における導子２０の交換時期である旨を、報知する場合と、ステップ４４で療器本体１０のメインテナンス時期になった旨、報知する場合とでは、既述したように、報知手段１０７を構成する表示手段及び音響発生手段のいずれか一方、または双方により報知形態が異なるように報知される。
【００３２】
以上に説明したように、本発明の実施形態によれば、治療器におけるプローブの交換時期、あるいは治療器本体のメインテナンス時期になると、使用者にその旨、報知されるので、使用者は、プローブの交換時期や、治療器本体のメインテナンス時期を的確に把握することができる。
【００３３】
また、本発明の実施形態によれば、プローブの交換時期、あるいは治療器本体のメインテナンス時期に応じた報知形態で報知されるため、使用者は、プローブの交換時期や、治療器本体のメインテナンス時期を的確に把握することができる。
さらに、プローブとして導子を交換時には、タイマが制御手段によりリセットされる。これにより、新たな導子が治療器本体に装着されると、その新たな導子の使用時間について前記タイマが計時を行い、使用時間を積算する。
したがって、導子の交換が行われても、治療器本体に装着される個別の導子について、的確に交換時期を使用者に認識させることができる。
【図面の簡単な説明】
【００３４】
【図１】本発明の実施形態に係る電子治療器の構成を示すブロック図。
【図２】本発明の実施形態に係る電子治療器の外観構成を示す図。
【図３】図１に示した本発明の実施形態に係る電子治療器における制御手段により実行される制御処理の内容を示すフローチャート。
【図４】図１に示した本発明の実施形態に係る電子治療器における制御手段により実行される他の制御処理の内容を示すフローチャート。
【符号の説明】
【００３５】
１…電子治療器、１０…治療器本体、２０…導子、１００…高周波信号発生手段、１０１…インピーダンス整合手段、１０２…接続手段切換手段、１０３…導子接続状態検出手段、１０４…電流検出手段、１０５…制御手段、１０６…操作手段、１０７…報知手段、２００…放射部、２０１…コード部、２０２…コネクタ、Ｔ１、Ｔ２…タイマ
【図１】
0005038806.tif 000002
【図２】
0005038806.tif 000003
【図３】
0005038806.tif 000004
【図４】
0005038806.tif 000005